(57)【要約】【課題】建物の基礎を経済的に施工できるようにし、かつ、地震時に前記建物が揺れやすくならないようにすること。【解決手段】建物の基礎は、第１杭と、該第１杭から第１方向に間隔を置かれた第２杭と、前記第１杭の上及び前記第２杭の上にそれぞれ設けられた第１フーチング及び第２フーチングと、前記第１フーチングと前記第２フーチングとの間に設けられた基礎梁とを含み、前記第１杭と前記第１フーチングとの境界部分は、前記第１フーチングが前記第１方向の外力を受けて前記境界部分に生じる曲げモーメントに対する曲げ剛性が、前記第１フーチングが前記第１方向と直交する第２方向の外力を受けて前記境界部分に生じる曲げモーメントに対する曲げ剛性より小さい。【選択図】図２
2010065422.tif 000002
【特許請求の範囲】
【請求項１】
地盤に設けられた第１杭と、該第１杭から第１方向に間隔を置いて設けられた第２杭と、前記第１杭から前記第１方向と直交する第２方向に間隔を置いて設けられた第３杭と、
前記第１杭の上に設けられた第１フーチングと、前記第２杭の上に設けられた第２フーチングと、前記第３杭の上に設けられた第３フーチングと、
前記第１フーチングと前記第２フーチングとの間に設けられた第１基礎梁と、前記第１フーチングと前記第３フーチングとの間に設けられた第２基礎梁とを含み、
前記第１杭と前記第１フーチングとの境界部分は、前記第１フーチングが前記第１方向の外力を受けて前記境界部分に生じる曲げモーメントに対する曲げ剛性が、前記第１フーチングが前記第２方向の外力を受けて前記境界部分に生じる曲げモーメントに対する曲げ剛性より小さい、建物の基礎。
【請求項２】
前記第１杭は、円形の断面形状を有する、コンクリートからなる本体と、該本体の内部に前記円形の周方向に間隔を置いて配置され、それぞれが上下方向に伸びる複数の主筋とを有し、
前記主筋は、前記本体の前記第１方向における相対する２つの第１領域のそれぞれに位置する複数の第１主筋と、前記第２方向における相対する２つの第２領域のそれぞれに位置する複数の第２主筋とを含み、
各第１主筋は、上端部が前記本体の内部に位置し、
各第２主筋は、前記本体から上方へ伸び、上端部が前記第１フーチングの内部に位置する、請求項１に記載の建物の基礎。
【請求項３】
前記第１杭は、円形の断面形状を有する、コンクリートからなる本体と、該本体の内部に前記円形の周方向に間隔を置いて配置され、それぞれが前記本体から前記第１フーチングの内部へ上下方向に伸びる複数の主筋とを有し、
前記主筋は、前記本体の前記第１方向における相対する２つの第１領域のそれぞれに位置する複数の第１主筋と、前記第２方向における相対する２つの第２領域のそれぞれに位置する複数の第２主筋とを含み、
前記第１主筋の径は前記第２主筋の径より小さい、請求項１に記載の建物の基礎。
【請求項４】
前記第１杭は、円形の断面形状を有する、コンクリートからなる本体と、該本体の内部に前記円形の周方向に間隔を置いて配置され、それぞれが前記本体から前記第１フーチングの内部へ上下方向に伸びる複数の主筋とを有し、
前記主筋は、前記本体の前記第１方向における相対する２つの第１領域のそれぞれに位置する複数の第１主筋と、前記第２方向における相対する２つの第２領域のそれぞれに位置する複数の第２主筋とを含み、
前記第１主筋における前記第１フーチングの内部に位置する部分の長さは前記第２主筋における前記第１フーチングの内部に位置する部分の長さより短い、請求項１に記載の建物の基礎。
【請求項５】
前記第１杭は、円形の断面形状を有する、コンクリートからなる本体と、該本体の内部に前記円形の周方向に間隔を置いて配置され、それぞれが前記本体から前記第１フーチングの内部へ上下方向に伸びる複数の主筋とを有し、
前記主筋は、前記本体の前記第１方向における相対する２つの第１領域のそれぞれに位置する複数の第１主筋と、前記第２方向における相対する２つの第２領域のそれぞれに位置する複数の第２主筋とを含み、
互いに隣接する２つの第１主筋の間の間隔は、互いに隣接する２つの第２主筋の間の間隔より長い、請求項１に記載の建物の基礎。
【請求項６】
前記本体の各第１領域と前記第１フーチングとの間に絶縁材が配置されている、請求項２ないし５のいずれか１項に記載の建物の基礎。
【請求項７】
前記本体の上端部における各第２領域に、前記周方向に間隔を置かれた複数の補強鉄筋が配置されており、各補強鉄筋は前記上端部から前記第１フーチングの内部へ上下方向に伸びる、請求項２ないし５のいずれか１項に記載の建物の基礎。
【請求項８】
前記第１杭は、コンクリートからなる円筒状の本体と、該本体の上端部に固定され、前記本体の断面形状と等しい環状の平面形状を有する端板と、該端板の前記第１方向における相対する２つの第１領域及び前記第２方向における相対する２つの第２領域のうち各第２領域のみに前記端板の周方向に間隔を置いて取り付けられ、それぞれが前記端板から前記第１フーチングの内部へ上下方向に伸びる複数の棒状部材とを含む、請求項１に記載の建物の基礎。
【請求項９】
前記第１杭は、コンクリートからなる円筒状の本体と、該本体の上端部に固定され、前記本体の断面形状と等しい環状の平面形状を有する端板と、該端板の周方向に間隔を置いて取り付けられ、それぞれが前記端板から前記第１フーチングの内部へ上下方向に伸びる複数の棒状部材とを含み、
前記棒状部材は、前記端板の前記第１方向における相対する２つの第１領域のそれぞれに位置する複数の第１棒状部材と、前記第２方向における相対する２つの第２領域のそれぞれに位置する複数の第２棒状部材とを含み、
前記第１棒状部材の径は前記第２棒状部材の径より小さい、請求項１に記載の建物の基礎。
【請求項１０】
前記第１杭は、コンクリートからなる円筒状の本体と、該本体の上端部に固定され、前記本体の断面形状と等しい環状の平面形状を有する端板と、該端板の周方向に間隔を置いて取り付けられ、それぞれが前記端板から前記第１フーチングの内部へ上下方向に伸びる複数の棒状部材とを含み、
前記棒状部材は、前記端板の前記第１方向における相対する２つの第１領域のそれぞれに位置する複数の第１棒状部材と、前記第２方向における相対する２つの第２領域のそれぞれに位置する複数の第２棒状部材とを含み、
前記第１棒状部材の長さは前記第２棒状部材の長さより短い、請求項１に記載の建物の基礎。
【請求項１１】
前記第１杭は、コンクリートからなる円筒状の本体と、該本体の上端部に固定され、前記本体の断面形状と等しい環状の平面形状を有する端板と、該端板の周方向に間隔を置いて取り付けられ、それぞれが前記端板から前記第１フーチングの内部へ上下方向に伸びる複数の棒状部材とを含み、
前記棒状部材は、前記端板の前記第１方向における相対する２つの第１領域のそれぞれに位置する複数の第１棒状部材と、前記第２方向における相対する２つの第２領域のそれぞれに位置する複数の第２棒状部材とを含み、
互いに隣接する２つの第１棒状部材の間の間隔は、互いに隣接する２つの第２棒状部材の間の間隔より長い、請求項１に記載の建物の基礎。
【請求項１２】
前記端板の各第１領域と前記第１フーチングとの間に絶縁材が配置されている、請求項８ないし１１のいずれか１項に記載の建物の基礎。
【発明の詳細な説明】
【技術分野】
【０００１】
本発明は、建物の基礎に関する。
【背景技術】
【０００２】
従来、建物の基礎には、地盤に設けられた第１杭と、該第１杭から第１方向に間隔を置いて設けられた第２杭と、前記第１杭から前記第１方向と直交する第２方向に間隔を置いて設けられた第３杭と、前記第１杭の上、前記第２杭の上及び前記第３杭の上にそれぞれ設けられた第１フーチング、第２フーチング及び第３フーチングと、前記第１フーチングと前記第２フーチングとの間に設けられた第１基礎梁と、前記第１フーチングと前記第３フーチングとの間に設けられた第２基礎梁とを含むものがある。
【０００３】
前記第１杭は、円形の断面形状を有する、コンクリートからなる本体と、該本体の内部に前記円形の周方向に間隔を置いて配置され、それぞれが上下方向に伸びる複数の主筋とを有する。各主筋は、前記本体から上方へ伸び、上端部が前記第１フーチングの内部に位置する（特許文献１参照）。このため、前記第１フーチングの前記第１杭に対する固定度（回転剛性）が非常に大きく、前記第１基礎梁及び前記第２基礎梁のそれぞれは前記第１フーチングを介して前記第１杭に剛接合されている。これにより地震時に前記建物が揺れにくい。
【特許文献１】特開平０９−２４２０６７号公報
【０００４】
前記第１フーチングは地震時に前記第１方向の外力及び前記第２方向の外力を受ける。前記第１基礎梁が前記第１フーチングを介して前記第１杭に剛接合されているため、前記第１フーチングが前記第１方向の外力を受けることにより、前記第１杭と前記第１フーチングとの境界部分及び前記第１フーチングと前記第１基礎梁との境界部分に比較的大きい曲げモーメントが生じる。また、前記第２基礎梁が前記第１フーチングを介して前記第１杭に剛接合されているため、前記第１フーチングが前記第２方向の外力を受けることにより、前記第１杭と前記第１フーチングとの境界部分及び前記第１フーチングと前記第２基礎梁との境界部分に比較的大きい曲げモーメントが生じる。このように前記第１フーチングと前記第１基礎梁との境界部分及び前記第１フーチングと前記第２基礎梁との境界部分の双方に比較的大きい曲げモーメントが生じるため、前記第１基礎梁及び前記第２基礎梁に大きい曲げモーメントを負担させることができる。
【発明の開示】
【発明が解決しようとする課題】
【０００５】
ところで、前記第２基礎梁の上に壁が設けられており、前記第１基礎梁の上に壁が設けられていないことがある。この場合、前記第２基礎梁は前記壁により補強されており、前記壁により補強された前記第２基礎梁は、前記第１基礎梁と比べて、曲げ強度が大きい。このため、前記第２基礎梁は、その断面積が小さくても、前記第１フーチングと前記第２基礎梁との境界部分に生じる曲げモーメントを負担することができるが、前記第１基礎梁は、その断面積が小さいと、前記第１フーチングと前記第１基礎梁との境界部分に生じる曲げモーメントを負担することができない。このため、前記第１基礎梁に前記曲げモーメントを負担させるために前記第１基礎梁の断面積を大きくしなければならず、前記第１基礎梁の施工に多くの費用を要し、前記基礎を経済的に施工することができない。
【０００６】
従来の他の基礎には、各主筋が前記本体から上方へ伸びておらず、該主筋の上端部が前記本体の内部に位置するものがある。前記他の基礎では、前記主筋の内方に、それぞれが前記本体から前記第１フーチングの内部へ上下方向に伸びる複数の接合部材が配置されている（特許文献２参照）。前記接合部材が前記主筋の内方に配置されているため、前記第１フーチングの前記第１杭に対する固定度は比較的小さく、前記第１フーチングは半固定の状態で前記第１杭に接合されている。
【特許文献２】特開２００６−２５７７１０号公報
【０００７】
このため、前記第１方向の外力により前記第１杭と前記第１フーチングとの境界部分及び前記第１フーチングと前記第１基礎梁との境界部分に生じる曲げモーメントは比較的小さく、また、前記第２方向の外力により前記第１杭と前記第１フーチングとの境界部分及び前記第１フーチングと前記第２基礎梁との境界部分に生じる曲げモーメントは比較的小さい。これにより、前記第１杭、前記第１フーチング、前記第１基礎梁及び前記第２基礎梁のそれぞれは、その断面積が小さくても、前記曲げモーメントを負担することができ、これらの施工費を低減することができる。
【０００８】
しかし、前記第１フーチングの前記第１杭に対する固定度が比較的小さいため、前記第１フーチングが前記第１方向の外力を受けることにより、前記第１杭と前記第１基礎梁とがなす角度が変化しやすく、また、前記第１フーチングが前記第２方向の外力を受けることにより、前記第１杭と前記第２基礎梁とがなす角度が変化しやすい、すなわち前記第１基礎梁及び前記第２基礎梁のそれぞれが前記第１杭に対して回転しやすい。このため、地震時に前記建物が揺れやすくなる。
【０００９】
本発明の目的は、前記基礎を経済的に施工できるようにし、かつ、地震時に前記建物が揺れやすくならないようにすることである。
【課題を解決するための手段】
【００１０】
本発明は、前記第１杭と前記第１フーチングとの境界部分における、前記第１方向の外力により前記境界部分に生じる曲げモーメントに対する曲げ剛性が比較的小さく、前記第２方向の外力により前記境界部分に生じる曲げモーメントに対する曲げ剛性が比較的大きい。これにより、前記第１杭、前記第１フーチング及び前記第１基礎梁が負担する曲げモーメントを小さくして、これらを大型化することなく前記基礎を経済的に施工できるようにするとともに、前記第１フーチングが前記第２方向の外力を受けた場合における前記第１フーチングの前記第１杭に対する固定度を大きくして、地震時に前記建物が揺れやすくなるのを防止する。
【００１１】
本発明に係る建物の基礎は、地盤に設けられた第１杭と、該第１杭から第１方向に間隔を置いて設けられた第２杭と、前記第１杭から前記第１方向と直交する第２方向に間隔を置いて設けられた第３杭と、前記第１杭の上に設けられた第１フーチングと、前記第２杭の上に設けられた第２フーチングと、前記第３杭の上に設けられた第３フーチングと、前記第１フーチングと前記第２フーチングとの間に設けられた第１基礎梁と、前記第１フーチングと前記第３フーチングとの間に設けられた第２基礎梁とを含み、前記第１杭と前記第１フーチングとの境界部分は、前記第１フーチングが前記第１方向の外力を受けて前記境界部分に生じる曲げモーメントに対する曲げ剛性が、前記第１フーチングが前記第２方向の外力を受けて前記境界部分に生じる曲げモーメントに対する曲げ剛性より小さい。
【００１２】
前記第１杭と前記第１フーチングとの境界部分が、前記第１方向の外力により前記境界部分に生じる曲げモーメントに対して比較的小さい曲げ剛性を有するため、前記第１フーチングが前記第１方向の外力を受けたときに、前記境界部分が曲げ変形しやすく、前記第１杭と前記第１基礎梁とがなす角度が変化しやすい。すなわち、前記第１フーチングは前記第１杭に完全には拘束されておらず、前記第１フーチングの前記第１杭に対する固定度は比較的小さい。このように前記第１フーチングは半固定の状態で前記第１杭に接合されている。このため、前記第１フーチングが前記第１方向の外力を受けたときに前記境界部分及び前記第１フーチングと前記第１基礎梁との境界部分に生じる曲げモーメントは比較的小さく、前記第１杭、前記第１フーチング及び前記第１基礎梁の断面積が比較的小さくてもこれらに前記曲げモーメントを負担させることができる。これにより、前記第１杭、前記第１フーチング及び前記第１基礎梁を大型化することなく前記基礎を経済的に施工することができる。
【００１３】
前記第１杭と前記第１フーチングとの境界部分が、前記第２方向の外力により前記境界部分に生じる曲げモーメントに対して比較的大きい曲げ剛性を有するため、前記第１フーチングが前記第２方向の外力を受けたときに、前記境界部分が曲げ変形しにくく、前記第１杭と前記第２基礎梁とがなす角度が変化しにくい。すなわち、前記第１フーチングが前記第２方向の外力を受けた場合における、前記第１フーチングの前記第１杭に対する固定度は比較的大きい。このため、前記第１フーチングが前記第２方向の外力を受けたときに前記境界部分及び前記第１フーチングと前記第２基礎梁との境界部分に生じる曲げモーメントは比較的大きく、前記第２基礎梁に大きい曲げモーメントを負担させることができる。前記第１フーチングが前記第２方向の外力を受けた場合における前記第１フーチングの前記第１杭に対する固定度が比較的大きいため、地震時に前記建物が揺れやすくなることはない。
【００１４】
ところで、前記第２基礎梁の曲げ強度が比較的大きく、前記第１基礎梁の曲げ強度が比較的小さいことがある。この場合、前記第２基礎梁は、曲げ強度が比較的大きいため、その断面積を大きくすることなく大きい曲げモーメントを負担することができる。また、前記第１フーチングと前記第１基礎梁との境界部分に生じる曲げモーメントが比較的小さいため、前記第１基礎梁は、曲げ強度が比較的小さくても、その断面積を大きくすることなく前記曲げモーメントを負担することができる。前記第１方向の外力の大きさと前記第２方向の外力の大きさとが同じであっても、前記第１フーチングが前記第１方向の外力を受けた場合における前記第１フーチングの前記第１杭に対する固定度と、前記第１フーチングが前記第２方向の外力を受けた場合における前記第１フーチングの前記第１杭に対する固定度とが異なるため、前記第１フーチングと前記第１基礎梁との境界部分に生じる曲げモーメントと、前記第１フーチングと前記第２基礎梁との境界部分に生じる曲げモーメントとを異なるものにすることができる。このため、前記第１基礎梁及び前記第２基礎梁の曲げ強度に応じて、前記第１基礎梁及び前記第２基礎梁のそれぞれに異なる大きさの曲げモーメントを負担させることができ、前記第１基礎梁及び前記第２基礎梁のいずれも大型化することを要しない。
【００１５】
前記第１杭は、円形の断面形状を有する、コンクリートからなる本体と、該本体の内部に前記円形の周方向に間隔を置いて配置され、それぞれが上下方向に伸びる複数の主筋とを有し、該主筋は、前記本体の前記第１方向における相対する２つの第１領域のそれぞれに位置する複数の第１主筋と、前記第２方向における相対する２つの第２領域のそれぞれに位置する複数の第２主筋とを含み、各第１主筋は、上端部が前記本体の内部に位置し、各第２主筋は、前記本体から上方へ伸び、上端部が前記第１フーチングの内部に位置する。
【００１６】
前記第１杭は、円形の断面形状を有する、コンクリートからなる本体と、該本体の内部に前記円形の周方向に間隔を置いて配置され、それぞれが前記本体から前記第１フーチングの内部へ上下方向に伸びる複数の主筋とを有し、該主筋は、前記本体の前記第１方向における相対する２つの第１領域のそれぞれに位置する複数の第１主筋と、前記第２方向における相対する２つの第２領域のそれぞれに位置する複数の第２主筋とを含み、前記第１主筋の径は前記第２主筋の径より小さい。
【００１７】
前記第１杭は、円形の断面形状を有する、コンクリートからなる本体と、該本体の内部に前記円形の周方向に間隔を置いて配置され、それぞれが前記本体から前記第１フーチングの内部へ上下方向に伸びる複数の主筋とを有し、該主筋は、前記本体の前記第１方向における相対する２つの第１領域のそれぞれに位置する複数の第１主筋と、前記第２方向における相対する２つの第２領域のそれぞれに位置する複数の第２主筋とを含み、前記第１主筋における前記第１フーチングの内部に位置する部分の長さは前記第２主筋における前記第１フーチングの内部に位置する部分の長さより短い。
【００１８】
前記第１杭は、円形の断面形状を有する、コンクリートからなる本体と、該本体の内部に前記円形の周方向に間隔を置いて配置され、それぞれが前記本体から前記第１フーチングの内部へ上下方向に伸びる複数の主筋とを有し、該主筋は、前記本体の前記第１方向における相対する２つの第１領域のそれぞれに位置する複数の第１主筋と、前記第２方向における相対する２つの第２領域のそれぞれに位置する複数の第２主筋とを含み、互いに隣接する２つの第１主筋の間の間隔は、互いに隣接する２つの第２主筋の間の間隔より長い。
【００１９】
前記本体の各第１領域と前記第１フーチングとの間に絶縁材が配置されている。前記絶縁材は、前記第１フーチングが前記第１領域に接触するのを妨げ、前記第１フーチングが前記第１領域に付着するのを防止する。これにより、前記第１杭と前記第１フーチングとの境界部分における、前記第１方向の外力により前記境界部分に生じる曲げモーメントに対する曲げ剛性をさらに低減させることができ、前記曲げモーメントをより小さくすることができる。
【００２０】
前記本体の上端部における各第２領域に、前記周方向に間隔を置かれた複数の補強鉄筋が配置されていてもよい。各補強鉄筋は前記上端部から前記第１フーチングの内部へ上下方向に伸びる。
【００２１】
前記第１杭は、コンクリートからなる円筒状の本体と、該本体の上端部に固定され、前記本体の断面形状と等しい環状の平面形状を有する端板と、該端板の前記第１方向における相対する２つの第１領域及び前記第２方向における相対する２つの第２領域のうち各第２領域のみに前記端板の周方向に間隔を置いて取り付けられ、それぞれが前記端板から前記第１フーチングの内部へ上下方向に伸びる複数の棒状部材とを含む。
【００２２】
前記第１杭は、コンクリートからなる円筒状の本体と、該本体の上端部に固定され、前記本体の断面形状と等しい環状の平面形状を有する端板と、該端板の周方向に間隔を置いて取り付けられ、それぞれが前記端板から前記第１フーチングの内部へ上下方向に伸びる複数の棒状部材とを含み、該棒状部材は、前記端板の前記第１方向における相対する２つの第１領域のそれぞれに位置する複数の第１棒状部材と、前記第２方向における相対する２つの第２領域のそれぞれに位置する複数の第２棒状部材とを含み、前記第１棒状部材の径は前記第２棒状部材の径より小さい。
【００２３】
前記第１杭は、コンクリートからなる円筒状の本体と、該本体の上端部に固定され、前記本体の断面形状と等しい環状の平面形状を有する端板と、該端板の周方向に間隔を置いて取り付けられ、それぞれが前記端板から前記第１フーチングの内部へ上下方向に伸びる複数の棒状部材とを含み、該棒状部材は、前記端板の前記第１方向における相対する２つの第１領域のそれぞれに位置する複数の第１棒状部材と、前記第２方向における相対する２つの第２領域のそれぞれに位置する複数の第２棒状部材とを含み、前記第１棒状部材の長さは前記第２棒状部材の長さより短い。
【００２４】
前記第１杭は、コンクリートからなる円筒状の本体と、該本体の上端部に固定され、前記本体の断面形状と等しい環状の平面形状を有する端板と、該端板の周方向に間隔を置いて取り付けられ、それぞれが前記端板から前記第１フーチングの内部へ上下方向に伸びる複数の棒状部材とを含み、該棒状部材は、前記端板の前記第１方向における相対する２つの第１領域のそれぞれに位置する複数の第１棒状部材と、前記第２方向における相対する２つの第２領域のそれぞれに位置する複数の第２棒状部材とを含み、互いに隣接する２つの第１棒状部材の間の間隔は、互いに隣接する２つの第２棒状部材の間の間隔より長い。
【００２５】
前記端板の各第１領域と前記第１フーチングとの間に絶縁材が配置されている。
前記絶縁材は、前記第１フーチングと前記第１領域との接触を妨げ、前記第１フーチングと前記第１領域との付着を防止する。これにより、前記第１杭と前記第１フーチングとの境界部分における、前記第１方向の外力により前記境界部分に生じる曲げモーメントに対する曲げ剛性をさらに低減させることができ、前記曲げモーメントをより小さくすることができる。
【発明の効果】
【００２６】
本発明によれば、前記第１杭と前記第１フーチングとの境界部分が、前記第１方向の外力により前記境界部分に生じる曲げモーメントに対して比較的小さい曲げ剛性を有するため、前記第１フーチングが前記第１方向の外力を受けたときに前記境界部分が曲げ変形しやすく、前記第１杭と前記第１基礎梁とがなす角度が変化しやすい。すなわち、前記第１フーチングは前記第１杭に完全に拘束されることがなく、前記第１フーチングの前記第１杭に対する固定度は比較的小さい。このため、前記第１フーチングが前記第１方向の外力を受けたときに前記境界部分及び前記第１フーチングと前記第１基礎梁との境界部分に生じる曲げモーメントは比較的小さく、前記第１杭、前記第１フーチング及び前記第１基礎梁の断面積が比較的小さくてもこれらに前記曲げモーメントを負担させることができる。これにより、前記第１杭、前記第１フーチング及び前記第１基礎梁を大型化することなく前記基礎を経済的に施工することができる。
【００２７】
また、前記第１杭と前記第１フーチングとの境界部分が、前記第２方向の外力により前記境界部分に生じる曲げモーメントに対して比較的大きい曲げ剛性を有するため、前記第１フーチングが前記第２方向の外力を受けたときに前記境界部分が曲げ変形しにくく、前記第１杭と前記第２基礎梁とがなす角度が変化しにくい。すなわち、前記第１フーチングが前記第２方向の外力を受けた場合における前記第１フーチングの前記第１杭に対する固定度は比較的大きい。このため、地震時に前記建物が揺れやすくなるのを防止することができる。
【発明を実施するための最良の形態】
【００２８】
図１、２に示すように、地盤１０に建物の基礎１２が構築されている。基礎１２は、地盤１０に設けられた第１杭１４ａと、該第１杭から第１方向（図１における左右方向）に間隔を置いて設けられた第２杭１４ｂと、第１杭１４ａから前記第１方向と直交する第２方向（図１における上下方向）に間隔を置いて設けられた第３杭１４ｃと、第１杭１４ａの上に設けられた第１フーチング１６ａと、第２杭１４ｂの上に設けられた第２フーチング１６ｂと、第３杭１４ｃの上に設けられた第３フーチング１６ｃとを含む。図１に示した例では、第３杭１４ｃが前記第２方向における第１杭１４ａの両側に設けられているが、これに代え、第３杭１４ｃが第１杭１４ａの片側にのみ設けられていてもよい。
【００２９】
基礎１２は、第１フーチング１６ａと第２フーチング１６ｂとの間に設けられた第１基礎梁１８ａと、第１フーチング１６ａと第３フーチング１６ｃとの間に設けられた第２基礎梁１８ｂとを含む。第１フーチング１６ａ、第２フーチング１６ｂ及び第３フーチング１６ｃのそれぞれの上に柱２０が設けられている。第１フーチング１６ａ、第２フーチング１６ｂ、第３フーチング１６ｃ、第１基礎梁１８ａ及び第２基礎梁１８ｂのそれぞれは鉄筋コンクリートからなる。
【００３０】
図３、４に示すように、第１杭１４ａは、円形の断面形状を有する、コンクリートからなる本体２２と、該本体の内部に前記円形の周方向に間隔を置いて配置され、それぞれが上下方向に伸びる複数の主筋２４、２６と、それぞれが該主筋を取り巻く、上下方向に間隔を置かれた複数のフープ筋２８とを有する。第１杭１４ａは場所打ちコンクリート杭からなる。
【００３１】
主筋２４、２６は、本体２２の前記第１方向における相対する２つの第１領域のそれぞれに位置する複数の第１主筋２４と、前記第２方向における相対する２つの第２領域のそれぞれに位置する複数の第２主筋２６とを含む。図２に示したように、各第１主筋２４は、上端部が本体２２の内部に位置し、各第２主筋２６は、本体２２から上方へ伸び、上端部が第１フーチング１６ａの内部に位置する。
【００３２】
前記第１領域に位置する第１主筋２４が本体２２から第１フーチング１６ａの内部へ伸びていないため、第１杭１４ａと第１フーチング１６ａとの境界部分は、第１フーチング１６ａが前記第１方向の外力を受けることにより前記境界部分に生じる曲げモーメントに対して効果的に抵抗することがなく、前記曲げモーメントに対する曲げ剛性が比較的小さい。これに対して、前記第２領域に位置する第２主筋２６が本体２２から第１フーチング１６ａの内部へ伸びているため、前記境界部分は、第１フーチング１６ａが前記第２方向の外力を受けることにより前記境界部分に生じる曲げモーメントに対して効果的に抵抗し、前記曲げモーメントに対する曲げ剛性が比較的大きい。このように、前記境界部分は、第１フーチング１６ａが前記第１方向の外力を受けて前記境界部分に生じる曲げモーメントに対する曲げ剛性が、第１フーチング１６ａが前記第２方向の外力を受けて前記境界部分に生じる曲げモーメントに対する曲げ剛性より小さい。
【００３３】
ところで、地震時に第１フーチング１６ａが前記第１方向の外力を受けることにより、第１杭１４ａと第１フーチング１６ａとの境界部分及び第１フーチング１６ａと第１基礎梁１８ａとの境界部分に曲げモーメントが生じる。第１杭１４ａと第１フーチング１６ａとの境界部分が、第１フーチング１６ａが前記第１方向の外力を受けることにより前記境界部分に生じる曲げモーメントに対して比較的小さい曲げ剛性を有するため、第１フーチング１６ａが前記第１方向の外力を受けたときに、前記境界部分が曲げ変形することにより、第１杭１４ａと第１基礎梁１８ａとがなす角度が比較的容易に変化する。すなわち、第１フーチング１６ａが第１杭１４ａに完全に拘束されることはなく、第１フーチング１６ａの第１杭１４ａに対する固定度は比較的小さい。このように第１フーチング１６ａは半固定の状態で第１杭１４ａに接合されている。
【００３４】
このため、前記第１方向の外力により第１杭１４ａと第１フーチング１６ａとの境界部分及び第１フーチング１６ａと第１基礎梁１８ａとの境界部分に生じる曲げモーメントは比較的小さく、第１杭１４ａ、第１フーチング１６ａ及び第１基礎梁１８ａの断面積が比較的小さくてもこれらに前記曲げモーメントを負担させることができる。これにより、第１杭１４ａ、第１フーチング１６ａ及び第１基礎梁１８ａを大型化することなく基礎１２を経済的に施工することができる。
【００３５】
本体２２の各第１領域と第１フーチング１６ａとの間に絶縁材３０が配置されている。絶縁材３０は、第１フーチング１６ａが前記第１領域に接触するのを妨げ、第１フーチング１６ａが前記第１領域に付着するのを防止する。これにより、第１杭１４ａと第１フーチング１６ａとの境界部分における、前記第１方向の外力により前記境界部分に生じる曲げモーメントに対する曲げ剛性をさらに低減させることができ、第１杭１４ａと第１フーチング１６ａとの境界部分及び第１フーチング１６ａと第１基礎梁１８ａとの境界部分に生じる曲げモーメントをより小さくすることができる。
【００３６】
第１杭１４ａを施工するとき、まず、地盤１０に、円形の断面形状を有する杭孔３３を穿つ。次に、前記円形の周方向に間隔を置かれた、それぞれが上下方向に伸びる複数の主筋２４、２６を杭孔３３に配置する。主筋２４、２６は、前記第１方向における相対する２つの領域のそれぞれに位置する複数の第１主筋２４と、前記第２方向における相対する２つの領域のそれぞれに位置する複数の第２主筋２６とを含み、第２主筋２６は第１主筋２４より長く、第２主筋２６の上端部は第１主筋２４の上端部より高い位置にある。主筋２４、２６の杭孔３３への配置は、前記円形の周方向に間隔を置かれた複数の主筋２４、２６と、該主筋に上下方向に間隔を置いて取り付けられた複数のフープ筋２８とからなる鉄筋籠を杭孔３３へ挿入することにより行う。主筋２４、２６を杭孔３３に配置した後、図５に示すように、杭孔３３にコンクリートを打設して本体２２を形成する。
【００３７】
第１杭１４ａは、全ての主筋が本体からフーチングの内部へ伸びている従来の杭と比べて、第１主筋２４の長さが異なるのみであり、主筋２４、２６の数は同じである。このため、第１杭１４ａを施工するのに要する手間は、前記従来の杭を施工するのに要する手間と同じである。なお、主筋の内方に複数の接合部材が配置されている従来の他の杭のように前記主筋の内方に前記接合部材を配置する手間を要することはない。このため、前記他の杭と比べて、第１杭１４ａを効率的に施工することができる。
【００３８】
第１杭１４ａを施工した後、第１杭１４ａの上に第１フーチング１６ａを設ける。このとき、第２主筋２６の前記上端部が第１フーチング１６ａの内部に位置するようにする。その後、第１フーチング１６ａと第２フーチング１６ｂとの間及び第１フーチング１６ａと第３フーチング１６ｃとの間にそれぞれ第１基礎梁１８ａ及び第２基礎梁１８ｂを設ける。
【００３９】
図１に示したように、第２基礎梁１８ｂの上に壁３２が設けられている。壁３２は、地中にあって土圧を受けるものでもよいし、地上にあるものでもよい。第２基礎梁１８ｂは壁３２により補強されており、壁３２により補強された第２基礎梁１８ｂは、第１基礎梁１８ａと比べ、曲げ強度が大きい。
【００４０】
第１フーチング１６ａは、地震時に、前記第１方向の外力のみならず、前記第２方向の外力を受ける。これにより、第１杭１４ａと第１フーチング１６ａとの境界部分及び第１フーチング１６ａと第２基礎梁１８ｂとの境界部分に曲げモーメントが生じる。第１杭１４ａと第１フーチング１６ａとの境界部分が、第１フーチング１６ａが前記第２方向の外力を受けることにより前記境界部分に生じる曲げモーメントに対して比較的大きい曲げ剛性を有するため、第１フーチング１６ａが前記第２方向の外力を受けたとき、前記境界部分は曲げ変形しにくく、第１杭１４ａと第２基礎梁１８ｂとがなす角度は変化しにくい。このように、第１フーチング１６ａが前記第２方向の外力を受けた場合において、第１フーチング１６ａの第１杭１４ａに対する固定度は比較的大きく、第１フーチング１６ａは固定の状態で第１杭１４ａに接合されている。
【００４１】
このため、前記第２方向の外力により第１杭１４ａと第１フーチング１６ａとの境界部分及び第１フーチング１６ａと第２基礎梁１８ｂとの境界部分に生じる曲げモーメントは比較的大きく、第２基礎梁１８ｂに比較的大きい曲げモーメントを負担させることができる。これにより、曲げ強度が小さい第１基礎梁１８ａに負担させる曲げモーメントが小さいにもかかわらず、曲げ強度が大きい第２基礎梁１８ｂに負担させる曲げモーメントを大きくすることができる。
【００４２】
このように、第１基礎梁１８ａ及び第２基礎梁１８ｂの曲げ強度の大きさに応じて、第１基礎梁１８ａ及び第２基礎梁１８ｂのそれぞれに負担させる曲げモーメントの大きさを変えることができる。壁３２により補強された第２基礎梁１８ｂは、曲げ強度が大きいため、その断面積が小さくても、前記曲げモーメントを負担することができる。このため、第２基礎梁１８ｂを大型化することなく基礎１２を施工することができる。また、第１フーチング１６ａが前記第２方向の外力を受けた場合における第１フーチング１６ａの第１杭１４ａに対する固定度が比較的大きいため、地震時に前記建物が揺れやすくなることはない。
【００４３】
図６、７に示す例では、本体２２の上端部における各第２領域に、前記周方向に間隔を置かれた複数の補強鉄筋３４が配置されている。各補強鉄筋３４は前記上端部から第１フーチング１６ａの内部へ上下方向に伸びる。補強鉄筋３４は主筋２４、２６の内方に位置する。
【００４４】
補強鉄筋３４は、第１フーチング１６ａが受けた前記第２方向の外力により第１杭１４ａと第１フーチング１６ａとの境界部分に生じる曲げモーメントに抵抗する。これにより、前記境界部分における前記曲げモーメントに対する曲げ剛性を高めることができ、地震時に前記建物が揺れやすくなるのを効果的に防止することができる。
【００４５】
図８、９に示す例では、第１主筋２４が本体２２から第１フーチング１６ａの内部へ伸びていない図２に示した例に代え、第１主筋２４が本体２２から第１フーチング１６ａの内部へ伸びている。この場合、第１主筋２４の径は第２主筋２６の径より小さい。このため、第１杭１４ａと第１フーチング１６ａとの境界部分は、前記第１方向の外力により前記境界部分に生じる曲げモーメントに対する曲げ剛性が、前記第２方向の外力により前記境界部分に生じる曲げモーメントに対する曲げ剛性より小さい。
【００４６】
図１０に示す例では、第１主筋２４の径が第２主筋２６の径より小さい図８に示した例に代え、第１主筋２４における第１フーチング１６ａの内部に位置する部分の長さが第２主筋２６における第１フーチング１６ａの内部に位置する部分の長さより短い。すなわち、第１主筋２４の第１フーチング１６ａに対する定着長さが第２主筋２６の第１フーチング１６ａに対する定着長さより短い。
【００４７】
第１主筋２４の前記定着長さが第２主筋２６の前記定着長さより短いため、第１杭１４ａと第１フーチング１６ａとの境界部分は、前記第２方向の外力により前記境界部分に生じる曲げモーメントに効果的に抵抗するが、前記第１方向の外力により前記境界部分に生じる曲げモーメントに効果的に抵抗することがない。このため、前記境界部分における前記第１方向の外力による前記曲げモーメントに対する曲げ剛性は前記第２方向の外力による前記曲げモーメントに対する曲げ剛性より小さい。
【００４８】
図１１、１２に示す例では、第１主筋２４における第１フーチング１６ａの内部に位置する部分の長さが第２主筋２６における第１フーチング１６ａの内部に位置する部分の長さより短い図１０に示した例に代え、互いに隣接する２つの第１主筋２４の間の間隔が、互いに隣接する２つの第２主筋２６の間の間隔より長い。この場合においても、第１杭１４ａと第１フーチング１６ａとの境界部分は、前記第１方向の外力により前記境界部分に生じる曲げモーメントに対する曲げ剛性が、前記第２方向の外力により前記境界部分に生じる曲げモーメントに対する曲げ剛性より小さい。
【００４９】
図８に示した例、図１０に示した例及び図１１に示した例のいずれにおいても、第１杭１４ａと第１フーチング１６ａとの境界部分は、前記第１方向の外力により前記境界部分に生じる曲げモーメントに対する曲げ剛性が、前記第２方向の外力により前記境界部分に生じる曲げモーメントに対する曲げ剛性より小さいため、前記第１方向の外力により第１杭１４ａと第１フーチング１６ａとの境界部分及び第１フーチング１６ａと第１基礎梁１８ａとの境界部分に生じる曲げモーメントは比較的小さく、第１杭１４ａ、第１フーチング１６ａ及び第１基礎梁１８ａを大型化しなくてもこれらに前記曲げモーメントを負担させることができる。また、前記第２方向の外力により第１杭１４ａと第１フーチング１６ａとの境界部分及び第１フーチング１６ａと第２基礎梁１８ｂとの境界部分に生じる曲げモーメントは比較的大きく、第２基礎梁１８ｂに大きい曲げモーメントを負担させることができる。
【００５０】
図８に示した例では、第１主筋２４の径と第２主筋２６の径との比を変更することにより、図１０に示した例では、第１主筋２４における第１フーチング１６ａの内部に位置する部分の長さと第２主筋２６における第１フーチング１６ａの内部に位置する部分の長さとの比を変更することにより、図１１に示した例では、互いに隣接する２つの第１主筋２４の間の間隔と互いに隣接する２つの第２主筋２６の間の間隔との比を変更することにより、第１フーチング１６ａと第１基礎梁１８ａとの境界部分に生じる曲げモーメントの大きさと第１フーチング１６ａと第２基礎梁１８ｂとの境界部分に生じる曲げモーメントの大きさとの比を任意に変更することができる。これにより、壁３２に補強された第２基礎梁１８ｂの曲げ強度と第１基礎梁１８ａの曲げ強度との比に応じて、壁３２に補強された第２基礎梁１８ｂに負担させる曲げモーメントの大きさと第１基礎梁１８ａに負担させる曲げモーメントの大きさとを変更することができる。
【００５１】
図１３、１４に示す例では、第１杭１４ａは、場所打ちコンクリート杭からなる図２に示した例に代え、既製コンクリート杭からなる。第１杭１４ａは、コンクリートからなる円筒状の本体３６と、該本体の上端部に固定され、本体３６の断面形状と等しい環状の平面形状を有する端板３８と、該端板の前記第１方向における相対する２つの第１領域及び前記第２方向における相対する２つの第２領域のうち各第２領域にのみ端板３８の周方向に間隔を置いて取り付けられた複数の棒状部材４０とを含む。各棒状部材４０は端板３８から第１フーチング１６ａの内部へ上下方向に伸びる。棒状部材４０は、鉄筋からなるものでもよいし、張力が導入されたＰＣ鋼材からなるものでもよい。
【００５２】
前記第１領域に棒状部材４０が取り付けられていないため、第１杭１４ａと第１フーチング１６ａとの境界部分は、第１フーチング１６ａが前記第１方向の外力を受けることにより前記境界部分に生じる曲げモーメントに対して効果的に抵抗することがなく、前記曲げモーメントに対する曲げ剛性が比較的小さい。これに対して、前記第２領域に棒状部材４０が取り付けられているため、前記境界部分は、第１フーチング１６ａが前記第２方向の外力を受けることにより前記境界部分に生じる曲げモーメントに対して効果的に抵抗し、前記曲げモーメントに対する曲げ剛性が比較的大きい。このように、前記境界部分は、前記第１方向の外力により前記境界部分に生じる曲げモーメントに対する曲げ剛性が、前記第２方向の外力により前記境界部分に生じる曲げモーメントに対する曲げ剛性より小さい。
【００５３】
このため、第１フーチング１６ａが前記第１方向の外力を受けたときに第１杭１４ａと第１フーチング１６ａとの境界部分及び第１フーチング１６ａと第１基礎梁１８ａとの境界部分に生じる曲げモーメントは比較的小さく、第１杭１４ａ、第１フーチング１６ａ及び第１基礎梁１８ａの断面積が比較的小さくてもこれらに前記曲げモーメントを負担させることができる。これにより、第１杭１４ａ、第１フーチング１６ａ及び第１基礎梁１８ａを大型化することなく基礎１２を経済的に施工することができる。また、第１杭１４ａと第１フーチング１６ａとの境界部分における、前記第２方向の外力により前記境界部分に生じる曲げモーメントに対する曲げ剛性が比較的大きいため、第１フーチング１６ａが前記第２方向の外力を受けたときに第１杭１４ａと第２基礎梁１８ｂとがなす角度は変化しにくく、地震時に前記建物が揺れやすくなることはない。
【００５４】
端板３８の各第１領域と第１フーチング１６ａとの間に絶縁材４２が配置されている。絶縁材４２は、第１フーチング１６ａと前記第１領域との接触を妨げ、第１フーチング１６ａと前記第１領域との付着を防止する。これにより、第１杭１４ａと第１フーチング１６ａとの境界部分における、前記第１方向の外力により前記境界部分に生じる曲げモーメントに対する曲げ剛性をさらに低減させることができ、第１杭１４ａと第１フーチング１６ａとの境界部分及び第１フーチング１６ａと第１基礎梁１８ａとの境界部分に生じる曲げモーメントをより小さくすることができる。
【００５５】
第１フーチング１６ａの下部は、図１３に示したように、下向きの凹型の断面形状を有し、第１杭１４ａの上端部を受け入れている。図２、６、８、１０及び１１に示した例では、第１フーチング１６ａの下面が平坦であり、第１フーチング１６ａの下部は第１杭１４ａの上端部を受け入れていないが、これらの例においても、図１３に示した例と同様に、第１フーチング１６ａの下部が、下向きの凹型の断面形状を有し、第１杭１４ａの上端部を受け入れていてもよい。
【００５６】
図１５、１６に示す例では、前記第２領域のみに複数の棒状部材４０が取り付けられている図１３に示した例に代え、前記第１領域及び前記第２領域の双方に複数の棒状部材４０ａ、４０ｂが取り付けられている。棒状部材４０ａ、４０ｂは端板３８の周方向に間隔を置かれ、各棒状部材４０ａ、４０ｂは端板３８から第１フーチング１６ａの内部へ上下方向に伸びる。棒状部材４０ａ、４０ｂは、各第１領域に位置する複数の第１棒状部材４０ａと、各第２領域に位置する複数の第２棒状部材４０ｂとを含み、第１棒状部材４０ａの径は第２棒状部材４０ｂの径より小さい。
【００５７】
第１棒状部材４０ａの径が第２棒状部材４０ｂの径より小さい図１５に示した例に代え、図１７に示す例では、第１棒状部材４０ａの長さが第２棒状部材４０ｂの長さより短く、図１８、１９に示す例では、互いに隣接する２つの第１棒状部材４０ａの間の間隔が、互いに隣接する２つの第２棒状部材４０ｂの間の間隔より長い。図１５ないし１９に示した例においても、図８ないし１２に示した例と同様に、第１杭１４ａと第１フーチング１６ａとの境界部分は、第１フーチング１６ａが前記第１方向の外力を受けて前記境界部分に生じる曲げモーメントに対する曲げ剛性が、第１フーチング１６ａが前記第２方向の外力を受けて前記境界部分に生じる曲げモーメントに対する曲げ剛性より小さい。
【００５８】
このため、第１フーチング１６ａが前記第１方向の外力を受けたときに第１杭１４ａと第１フーチング１６ａとの境界部分及び第１フーチング１６ａと第１基礎梁１８ａとの境界部分に生じる曲げモーメントは比較的小さく、第１杭１４ａ、第１フーチング１６ａ及び第１基礎梁１８ａを大型化することなくこれらに前記曲げモーメントを負担させることができる。また、第１フーチング１６ａが前記第２方向の外力を受けたときに第１杭１４ａと第１フーチング１６ａとの境界部分及び第１フーチング１６ａと第２基礎梁１８ｂとの境界部分に生じる曲げモーメントは比較的大きく、第２基礎梁１８ｂに大きい曲げモーメントを負担させることができる。
【００５９】
基礎１２は、図２０に示すように、前記第１方向（図２０における左右方向）における第２杭１４ｂが存在する側と反対側に第１杭１４ａから間隔を置いて設けられた他の杭１４ｄと、該他の杭の上に設けられた他のフーチング１６ｄと、第１フーチング１６ａと他のフーチング１６ｄとの間に設けられた他の基礎梁１８ｃとを有するものでもよい。
【００６０】
図２１に示す例では、互いに平行な一対の縦方向（図２１における上下方向）の第１辺及び互いに平行な一対の横方向（図２１における左右方向）の第２辺からなる四角形の平面形状を有する建物の基礎４４が構築されている。基礎４４は、地盤６０に間隔を置いて設けられた複数の外側の杭４６ａ、４６ｂ、４６ｃであって前記四角形の頂点に位置する４つの杭４６ａと、各第１辺に位置する少なくとも１つの杭４６ｂと、各第２辺に位置する少なくとも１つの杭４６ｃとを含む外側の杭４６ａ、４６ｂ、４６ｃと、第２辺に位置する杭４６ｃを前記縦方向に結ぶ直線と第１辺に位置する杭４６ｂを前記横方向に結ぶ直線との交点に位置する内側の杭４６ｄとを含む。
【００６１】
また、基礎４４は、外側の杭４６ａ、４６ｂ、４６ｃ及び内側の杭４６ｄのそれぞれの上に設けられたフーチング４８と、互いに隣接する２つの外側の杭４６ａ、４６ｂ、４６ｃのうち一方の杭の上に設けられたフーチング４８と他方の杭の上に設けられたフーチング４８との間に設けられた外側の基礎梁５０ａと、前記縦方向に互いに隣接する外側の杭４６ｃと内側の杭４６ｄとの間、前記横方向に互いに隣接する外側の杭４６ｂと内側の杭４６ｄとの間及び互いに隣接する２つの内側の杭４６ｄの間のそれぞれに設けられた内側の基礎梁５０ｂと、外側の基礎梁５０ａの上に設けられた壁５２とを含む。
【００６２】
前記第１辺に位置する杭４６ｂとフーチング４８との境界部分は、フーチング４８が前記横方向の外力を受けて前記境界部分に生じる曲げモーメントに対する曲げ剛性が、フーチング４８が前記縦方向の外力を受けて前記境界部分に生じる曲げモーメントに対する曲げ剛性より小さい。このため、フーチング４８が前記横方向の外力を受けたときに杭４６ｂとフーチング４８との境界部分及びフーチング４８と内側の基礎梁５０ｂとの境界部分に生じる曲げモーメントは比較的小さく、杭４６ｂ、フーチング４８及び内側の基礎梁５０ｂの断面積が比較的小さくても、これらに前記曲げモーメントを負担させることができる。このため、杭４６ｂ、フーチング４８及び内側の基礎梁５０ｂを大型化することなく基礎４４を経済的に施工することができる。
【００６３】
前記第２辺に位置する杭４６ｃとフーチング４８との境界部分は、フーチング４８が前記縦方向の外力を受けて前記境界部分に生じる曲げモーメントに対する曲げ剛性が、フーチング４８が前記横方向の外力を受けて前記境界部分に生じる曲げモーメントに対する曲げ剛性より小さい。このため、フーチング４８が前記縦方向の外力を受けたときに杭４６ｃとフーチング４８との境界部分及びフーチング４８と内側の基礎梁５０ｂとの境界部分に生じる曲げモーメントは比較的小さく、杭４６ｃ、フーチング４８及び内側の基礎梁５０ｂの断面積が比較的小さくても、これらに前記曲げモーメントを負担させることができる。このため、杭４６ｃ、フーチング４８及び内側の基礎梁５０ｂを大型化することなく基礎４４を経済的に施工することができる。
【００６４】
前記第１辺に位置する杭４６ｂとフーチング４８との境界部分が、フーチング４８が前記縦方向の外力を受けることにより前記境界部分に生じる曲げモーメントに対する比較的大きい曲げ剛性を有するため、杭４６ｂとフーチング４８との境界部分及びフーチング４８と外側の基礎梁５０ａとの境界部分に生じる曲げモーメントは比較的大きい。また、前記第２辺に位置する杭４６ｃとフーチング４８との境界部分が、フーチング４８が前記横方向の外力を受けることにより前記境界部分に生じる曲げモーメントに対する比較的大きい曲げ剛性を有するため、杭４６ｃとフーチング４８との境界部分及びフーチング４８と外側の基礎梁５０ａとの境界部分に生じる曲げモーメントは比較的大きい。このため、壁５２により補強された外側の基礎梁５０ａに比較的大きい曲げモーメントを負担させることができ、地震時に前記建物が揺れやすくなることはない。
【図面の簡単な説明】
【００６５】
【図１】本発明の第１実施例に係る建物の基礎の平面図。
【図２】図１の線２における基礎の縦断面図。
【図３】図２の線３における杭の横断面図。
【図４】図２の線４における杭の平面図。
【図５】杭を形成した後における杭の縦断面図。
【図６】本発明の第２実施例に係る基礎の縦断面図。
【図７】図６の線７における杭の平面図。
【図８】本発明の第３実施例に係る基礎の縦断面図。
【図９】図８の線９における杭の平面図。
【図１０】本発明の第４実施例に係る基礎の縦断面図。
【図１１】本発明の第５実施例に係る基礎の縦断面図。
【図１２】図１１の線１２における杭の平面図。
【図１３】本発明の第６実施例に係る基礎の縦断面図。
【図１４】図１３の線１４における杭の平面図。
【図１５】本発明の第７実施例に係る基礎の縦断面図。
【図１６】図１５の線１６における杭の平面図。
【図１７】本発明の第８実施例に係る基礎の縦断面図。
【図１８】本発明の第９実施例に係る基礎の縦断面図。
【図１９】図１８の線１９における杭の平面図。
【図２０】本発明の第１０実施例に係る基礎の平面図。
【図２１】本発明の第１１実施例に係る基礎の平面図。
【符号の説明】
【００６６】
１０、６０    地盤
１２、４４    基礎
１４ａ    第１杭
１４ｂ    第２杭
１４ｃ    第３杭
１６ａ    第１フーチング
１６ｂ    第２フーチング
１６ｃ    第３フーチング
１８ａ    第１基礎梁
１８ｂ    第２基礎梁
２２、３６    本体
２４    第１主筋
２６    第２主筋
３０、４２    絶縁材
３４    補強鉄筋
３８    端板
４０    棒状部材
４０ａ    第１棒状部材
４０ｂ    第２棒状部材
【図１】
2010065422.tif 000003
【図２】
2010065422.tif 000004
【図３】
2010065422.tif 000005
【図４】
2010065422.tif 000006
【図５】
2010065422.tif 000007
【図６】
2010065422.tif 000008
【図７】
2010065422.tif 000009
【図８】
2010065422.tif 000010
【図９】
2010065422.tif 000011
【図１０】
2010065422.tif 000012
【図１１】
2010065422.tif 000013
【図１２】
2010065422.tif 000014
【図１３】
2010065422.tif 000015
【図１４】
2010065422.tif 000016
【図１５】
2010065422.tif 000017
【図１６】
2010065422.tif 000018
【図１７】
2010065422.tif 000019
【図１８】
2010065422.tif 000020
【図１９】
2010065422.tif 000021
【図２０】
2010065422.tif 000022
【図２１】
2010065422.tif 000023